(57)【要約】本発明は、横方向にスライド可能な壁エレメント（１，２）を備えたスライド式壁であって、これらの壁エレメント（１，２）が走行ローラによって壁エレメント（１，２）の上側に配置された支持成形材内でガイドされるようになっており、これらの壁エレメント（１，２）のうちの少なくとも１つが、スライド可能な壁エレメント（１，２）に関連して定置に配置された駆動部（５５）によって操作される回転扉（２）として構成されており、この場合、駆動部（５５）と、回転扉として用いられる壁エレメント（２）との間に配置された操作手段が、壁エレメント（１，２）をスライドさせる際に自動的に作動及び不作動せしめられるロッド（５６）として構成されており、この場合、壁エレメント（１，２）が個別に手動で又はモータによって移動させることができ、各壁エレメント（１，２）に床ガイド（９）が設けられていて、この床ガイド（９）が床に敷設されたガイドレール（７）に係合するようになっており、少なくとも回転扉として用いられる壁エレメント（２）が、第１の旋回軸（１９，５７）及び第２の旋回軸（１４，１５）を中心にして旋回可能であり、壁エレメント（１，２）が互いに接近移動せしめられる際に、回転扉（２）が自動的に壁エレメント（１，２）の下部領域内で互いに接続装置によって結合され、それによって回転扉（２）を危険なしに旋回させることができるようになっている。
2006517626.tif 000002
【特許請求の範囲】
【請求項１】
横方向にスライド可能な壁エレメント（１，２）を備えたスライド式壁であって、これらの壁エレメント（１，２）が走行ローラによって壁エレメント（１，２）の上側に配置された支持成形材内でガイドされるようになっており、これらの壁エレメント（１，２）のうちの少なくとも１つが、スライド可能な壁エレメント（１，２）に関連して定置に配置された駆動部（５５）によって操作される回転扉（２）として構成されており、この場合、駆動部（５５）と、回転扉として用いられる壁エレメント（２）との間に配置された操作手段が、壁エレメント（１，２）をスライドさせる際に自動的に作動及び不作動せしめられるロッド（５６）として構成されている形式のものにおいて、
壁エレメント（１，２）が個別に手動で又はモータによって移動させることができ、各壁エレメント（１，２）に床ガイド（９）が設けられていて、この床ガイド（９）が床に敷設されたガイドレール（７）に係合するようになっており、少なくとも回転扉として用いられる壁エレメント（２）が、第１の旋回軸（１９，５７）及び第２の旋回軸（１４，１５）を中心にして旋回可能であり、壁エレメント（１，２）が互いに接近移動せしめられる際に、回転扉（２）が自動的に壁エレメント（１，２）の下部領域内で接続装置によって結合され、それによって回転扉（２）を危険なしに旋回させることができるようになっていることを特徴とする、スライド式壁。
【請求項２】
旋回軸（５７）が下部の水平な端部領域内の中央に配置されていて、旋回軸（１９）が壁エレメント（２）の上部の水平な領域内の中央に配置されている、請求項１記載のスライド式壁。
【請求項３】
壁エレメント（２）の上部及び下部領域にレバーアーム（１２，１３）が配置されている、請求項１又は２記載のスライド式壁。
【請求項４】
レバーアーム（１２，１３）が、壁エレメント（２）の上側及び下側の成形材（５，１１，４４）内に配置されている、請求項１から３までのいずれか１項記載のスライド式壁。
【請求項５】
上側の成形材が、互いに隣接して配置された懸架成形材（４４）と扉成形材（１１）とによって形成されている、請求項１から４までのいずれか１項記載のスライド式壁。
【請求項６】
ピボット軸受（１０）が懸架成形材（４４）内に配置されている、請求項１から５までのいずれか１項記載のスライド式壁。
【請求項７】
懸架成形材（４４）内に走行レールが配置されており、この走行レール内でキャリッジが走行可能であって、このキャリッジと扉成形材（１１）との結合部が旋回軸（１９）を形成している、請求項１から６までのいずれか１項記載のスライド式壁。
【請求項８】
レバーアーム（１２，１３）が前記上側及び下側の成形材（５，１１，４４）の切欠内に配置されている、請求項１から７までのいずれか１項記載のスライド式壁。
【請求項９】
接続装置が、互いに対応し合う２つの部分エレメントより成っており、これらの部分エレメントがそれぞれ、互いに当接し合う壁エレメント（１，２）の内部又は外部に組み込まれている、請求項１から８までのいずれか１項記載のスライド式壁。
【請求項１０】
第１の部分エレメントが、連結部材（２０）として構成されたフラットなアームより成っている、請求項１から１０までのいずれか１項記載のスライド式壁。
【請求項１１】
第２の部分エレメントが、固定部材とロック部材とから主に成っている、請求項１から１０までのいずれか１項記載のスライド式壁。
【請求項１２】
固定部材が、連結部材と、この連結部材を貫通する連結ピン（２６）とから主に成っている、請求項１から１１までのいずれか１項記載のスライド式壁。
【請求項１３】
ロック部材が、連結ピン（２６）のための孔（２７）を備えた接続部材（２５）より主に成っており、接続部材（２５）の操作が、接続部材（２５）に設けられた調整ねじ（２４）と協働して錠止斜面（２９）によって行われる、請求項１から１２までのいずれか１項記載のスライド式壁。
【請求項１４】
錠止斜面（２９）が、調整部材（２８）の端部領域に設けられている、請求項１から１３までのいずれか１項記載のスライド式壁。
【請求項１５】
調整部材（２８）に２つの錠止斜面（２９）が設けられており、これらの錠止斜面（２９）が、調整部材（２８）の外側縁部に向かって下降していて、中央領域で平らな錠止解除面（３０）によって互いに接続されている、請求項１から１４までのいずれか１項記載のスライド式壁。
【請求項１６】
調整部材（２８）がその端部で、連結ピン（２６）の連結付加部（４２）のための連結開口（３１）を有している、請求項１から１５までのいずれか１項記載のスライド式壁。
【請求項１７】
連結解除開口（３１）が侵入斜面（３５）を有しており、この侵入斜面（３５）に続いて退出斜面（３６）が設けられていて、この退出斜面（３６）が連結解除区分（３２）に移行している、請求項１から１６までのいずれか１項記載のスライド式壁。
【請求項１８】
調整部材（２８）が、下側の閉鎖成形材（５）の端部領域に配置されていて、この端部領域内で、レバーアーム（１３）も第２の旋回軸（１５）を介して枢着されている、請求項１から１７までのいずれか１項記載のスライド式壁。
【請求項１９】
連結ピン（２６）が回転部材であって、係止端部（３７）と、この係止端部（３７）に接続された付加部（３８）と、互いに逆向きの２つの円錐台形（４０）と連結付加部（４２）とから主に成っている、請求項１から１８までのいずれか１項記載のスライド式壁。
【請求項２０】
回転扉（２）が旋回せしめられると、連結付加部（４２）が接続部材（２５）の孔（２７）内に係合するようになっている、請求項１から１９までのいずれか１項記載のスライド式壁。
【請求項２１】
接続部材（２５）が、レバーアーム（１３）の端部に、片側旋回可能に配置されている、請求項１から２０までのいずれか１項記載のスライド式壁。
【請求項２２】
調整ねじ（２４）を介して連結ピン（２６）の係止点が調節可能である、請求項１から２１までのいずれか１項記載のスライド式壁。
【請求項２３】
レバーアーム（１３）の端部に、レバーアーム（１３）を下側の閉鎖成形材（５）に係止させるための係止装置が設けられている、請求項１から２２までのいずれか１項記載のスライド式壁。
【請求項２４】
壁エレメント（２）が、ドアクローザー又は駆動部（５５）によって自動化されている、請求項１から２３までのいずれか１項記載のスライド式壁。
【請求項２５】
駆動部（５５）がガイドレール（７）の隣に定置に配置されている、請求項１から２４までのいずれか１項記載のスライド式壁。
【請求項２６】
駆動部（５５）にフラットアーム（５６）が配属されており、このフラットアーム（５６）は一端部が駆動部（５５）の被駆動軸（５８）に枢着されていて、他端部がピン（５９）又はローラを有していて、このピン（５９）又はローラがスライドレール（６０）内で扉成形材（１１）に固定されている、請求項１から２５までのいずれか１項記載のスライド式壁。
【請求項２７】
壁部材（２）の回転扉は、連結成形材（２６）がロック部材内に完全に侵入した時にだけ操作されるようになっている、請求項１から２６までのいずれか１項記載のスライド式壁。
【請求項２８】
回転扉（２）を旋回させると、隣接し合う壁エレメント（１，２）が互いに自動的に固定されるようになっている、請求項１から２７までのいずれか１項記載のスライド式壁。
【請求項２９】
接続装置が同時に連結及びロック部材として構成されている、請求項１から２８までのいずれか１項記載のスライド式壁。
【請求項３０】
スライド式壁が閉じられると、回転扉（２）の駆動部（５５）がセンサによって作動せしめられるようになっている、請求項１から２９までのいずれか１項記載のスライド式壁。
【発明の詳細な説明】
【技術分野】
【０００１】
本発明は、横方向にスライド可能な壁エレメントを備えたスライド式壁であって、これらの壁エレメントが走行ローラによって壁エレメントの上側に配置された支持成形材内でガイドされるようになっている形式のものに関する。これらの壁エレメントのうちの少なくとも１つが、スライド可能な壁エレメントに関連して定置に配置された駆動部によって操作される回転扉として構成されており、この場合、駆動部がスライド可能な壁エレメントに関連して定置に配置されている。駆動部と、回転扉との間に操作手段が設けられており、この操作手段は、壁エレメントをスライドさせる際にロッドによって自動的に作動及び不作動せしめられるようになっている。
【０００２】
ドイツ連邦共和国特許第１９９５９８２５号明細書には、走行ローラによってスライドレールに沿ってスライドせしめられる、横方向にスライド可能な複数の壁エレメントを備えたスライド式壁について記載されている。この場合、少なくとも１つの壁エレメントが、ドアクローザーを介して操作可能な回転扉として構成されていて、ドアクローザーと回転扉として用いられる壁エレメントとの間に、自動的に連結若しくは連結解除されるスライドレールロッドが配置されている。個別の壁エレメントを互いに重なり合って配置することは、取付け金具によって実現される。このことはつまり、スライド式壁の移動時に、スライド式壁はそのすべてのエレメントと常に一緒に移動させる必要がある、ということを意味している。従ってこのようなスライド式壁は互いに相応に高い安定性を保っている。またロック部材が設けており、このロック部材によって回転扉は、すべてのスライド装置が閉じた位置にあるときにだけ操作され得るようになっている。この位置において、定置に組みつけられた回転扉駆動装置が解放される。回転扉の懸架部の構造、つまり回転扉を、スライド可能及び回転可能な壁部材に懸架しないことによって、懸架部は負荷解除される。何故ならば駆動装置の重量は建物に支えられるからである。
【０００３】
本発明の課題は、従来技術のものを改良して、前記ドイツ連邦共和国特許第１９９５９８２５号明細書により公知の駆動形式をどのような形式のスライド式壁にも使用することができるようにすることである。
【０００４】
この課題を解決した本発明によれば、個別に手動で又はモータによって移動可能な壁エレメントより成るスライド式壁が、一方では床ガイドを有していて、この床ガイドが特に回転扉として構成された壁エレメントにおいて、扉の上端部及び下端部でガイドされるようになっている。また回転扉は、第１の旋回軸と第２の旋回軸とを有しており、それによって回転扉に、回転運動時に相応の安定性を与えるようになっている。さらに、各壁エレメントは、互いに閉じたフロント部を形成する瞬間に自動的に互いに連結され、それによって回転扉の危険のない旋回が可能となっている。
【０００５】
前記課題の解決策は、請求項１に記載された特徴部に従って得られる。従属請求項は、本発明の有利な実施態様を示している。
【０００６】
第１及び第２の旋回軸を形成するために、回転扉は少なくとも１つのレバーアームを備えている。さらにまた回転扉は、上端部領域及び下端部領域において、前記ガイドエレメントによって床レール若しくは天井支持レール内でガイドされる。このような本発明の配置によって、回転扉はレバーアームを中心にしてまたガイドエレメントを中心にして旋回せしめられるようになっている。このガイドエレメントは、扉エレメントを連続的に旋回させることによって上部の付加的なガイドレール内で移動せしめられる。この場合、回転扉の主閉鎖縁部は楕円形の軌道を描く。この場合、壁エレメントの上部領域及び下部領域内での、いわゆる３点支承によって、旋回運動十分な安定性が与えられる。
【０００７】
使用されたレバーアームは、扉の上端部及び下端部に枢着することができる。しかしながらまた、回転エレメントを上部又は下部に配置された１つのレバーアームだけを有していてもよい。
【０００８】
特にコンパクトな構造を実現するために、壁エレメント（回転扉）の単数若しくは複数のレバーアームは有利には、扉成形材（Fluegelprofil）に設けられた切欠内に配置されている。
【０００９】
特に有利には、懸架成形材内に走行レールが配置されている。この走行レール内で有利には１つのキャリッジが走行可能に取り付けられている。この場合、キャリッジは有利には、振り子保持体によって壁エレメントの回転扉に結合されている。この本発明の壁エレメントの構成では、扉と、懸架成形材と、扉に直接結合された扉成形材とが設けられている。
【００１０】
確実な回転扉エレメントを得るために、有利には係止装置が設けられており、この係止装置は、同時に連結部材及びロック部材として構成されている。これによって本発明による壁エレメントは、一般的な係止部を床に設けることなしに、隣接する壁エレメントに係止される。これによってドアの確実な操作が保証される。
【００１１】
回転扉の旋回中に付加的な負荷ができるだけかからないようにするために、回転扉のガイドエレメントが、扉の幅のほぼ中央位置でレール内に配置されている。これによって、扉が旋回する際の旋回点も、扉の中央に位置している。
【００１２】
この場合、前記接続装置は、互いに対応し合う２つの部分エレメントより成っており、これらの部分エレメントは、それぞれ互いにぶつかり合う２つの壁エレメントの外側又は内側に組み込まれている。
【００１３】
この場合、例えば旋回させることができない壁エレメントに第１の部分エレメントが組み込まれており、この第１の部分エレメントは、連結部材として構成されたフラットなアームより成っている。連結部材は、その端部で連結ピンを有していて、この連結ピンは、旋回させようとする壁エレメント内に収容された第２の部分エレメントと協働する。この第２の部分エレメントは、固定部材とロック部材とから成っている。
【００１４】
２つの壁エレメント（一方が回転扉を有していて、他方が純粋な壁エレメントとして構成されている）が、相次いで移動せしめられると、互いに接近移動した後に回転扉にかかる圧力によって、若しくは前記駆動部に基づいて、回転扉の運動が開始された時にだけ、係止が行われる。回転扉の係止は、レバーアームを介して隣接する壁エレメントに対して行われる。このような係止エレメント主に接続部材より成っており、この接続部材は孔を備えていて、この孔内に隣接する壁エレメントの連結ピンが、操作（回転扉の回転）が行われると、係止するようになっている。正確な調整を得るために、調整ねじが設けられており、この調整ねじは、接続部材の調整を可能にする。
【００１５】
２つの扉を互いに確実に係止するために、調整部材が設けられており、この調整部材は端部領域で１若しくは２つの錠止斜面を有している。この錠止斜面は、外側縁部に向かって下降していて、中央領域に平らな錠止解除面が設けられている。調整ねじは、同時に係止部材としてしも機能する。何故ならば、調整ねじの端部は錠止解除面上に載るからである。回転扉が旋回せしめられると、調整ねじは錠止斜面の１つに沿って下降する。それによって同時に接続部材も下降する。これによって正しい位置で、連結ピンが接続部材の孔内に侵入して、回転扉を少し回転させるだけで直ちに、隣接し合う２つの壁エレメントが互いに結合される。レバーアーム内に良好に侵入させるために、レバーアームはその端部で円錐形の侵入開口を備えており、それによって連結ピンが自動的に正しい位置にもたらされるようになっている。
【００１６】
連結ピンはさらに、連結ピンの反対側の端部が調整部材の連結開口内に導入されるようになっていることによって、壁エレメントを互いに固定することもできる。連結開口は、後方に向かって先細りする円錐形の形状を有している。連結開口は所定の深さ位置から広がっていて、それによって、連結ピンが前記のように旋回せしめられる時に調整部材から再び退出するために十分な可能性が提供される。
【００１７】
本発明の別の実施態様では、レバーアームは、その反対側の端部（この端部に係止部材が配置されている）で第２の係止手段を有している。この第２の係止手段は半円形の部材より成っており、この半円形の部材はその中央領域で切り込み部を有していて、この切り込み部が、回転扉の下部成形材に定置に結合された部材と協働する。この係止手段は、隣接する壁部材との連結が行われない場合に、レバーをそのゼロ位置で保持するためのものである。
【００１８】
前記スライド式壁は、壁システムとして、付加的な取手なしで自動的に待機位置から使用位置へ移動させることができる。同時に、使用位置において、手動による力を用いることなしに回転扉を操作することができる。このような回転扉の位置は、天井領域に相応の自動駆動装置が組み込まれているかどうかに基づいている。このような自動駆動装置は、実際には装置のどの位置にも組み込むことができる。それによってこのような形式のスライド式壁のフレキシブル性（融通性）が著しく高められる。
【００１９】
壁エレメントの本発明による構成は、特にガラス製の壁エレメントにおいて用いられる。勿論、このような構造を、木、金属、プラスチック又はどのような素材から成る壁エレメントにおいて用いることも可能である。スライド式壁内に回転可能な壁エレメントを一体的に組み込むことによって、この壁エレメントは工場において予め完全に前組み立てすることができるので、現場では簡単な組み付け作業を必要とするだけである。従って現場では、ドアエレメントを上側のガイドレール及び下側ガイドレールに組み込むだけでよい。
【００２０】
本発明を以下に図示の実施例を用いて具体的に説明する。図面には概略的な実施例が示されている。本発明にとって重要でない点については、本発明を理解するために必要ではないので、省かれている。
【００２１】
図１は、本発明による回転扉を備えたスライド式壁システムの概略的な側面図、
図２は、２つの自動式の回転扉を備えたスライド式壁の可能な実施例の平面図、
図３は、上側の支持成形材及び下側のガイドレールの断面図、及び回転扉を備えた駆動装置の側面図、
図４は、隣接し合う２つの壁部材の、連結前の部分断面図、
図５は、図４に示した、隣接し合う２つの壁部材の、連結された状態の部分断面図、
図６は、旋回された回転扉において２つの隣接し合う扉がロックされている状態を示す、図５に対応する部分断面図、
図７は、部分旋回された回転扉における一部断面した平面図、
図８は、一方のレバーアームに接続された連結ピンの側面図、
図９は、調整部材の斜視図、
図１０は、レバーの斜視図である。
【００２２】
図１に示したスライド式壁は、多数の壁部材より成っており、これらの壁部材は図示の実施例では、スライド可能な２つの壁部材１と、スライド可能かつ旋回可能な壁部材２とから成っている。壁部材１は、壁部材２に隣接して配置されている。壁部材１は結合部４によって、固定部材３及びキャリッジ１８を介して支持成形材８内でスライド可能に配置されている。壁部材２は、これと類似の結合部を有しているが、上側の領域内には固定成形材３の代わりに懸架成形材４４が使用されている。支持成形材８に対する結合は、スライド可能な壁部材１におけるのと同様の形式で実現される。
【００２３】
壁部材１，２の下側領域には閉鎖成形材５が設けられており、この閉鎖成形材５内に、床に向けられた床ガイド９，５７が設けられている。これらの床ガイド９，５７は、詳しく図示していない床内に形成されたガイドレール７に係合する。これによって壁部材１，２のより確実な走行可能性が保証される。
【００２４】
壁部材２の下側の閉鎖成形材５内にレバーアーム１３が配置されており、このレバーアーム１３は、その一端部でピボット軸受１０を有していて、他端部で旋回軸１５を有している。
【００２５】
懸架成形材４４の下では、扉成形材１１が壁部材２に配置されている。レバーアーム１２は、一方の端部が旋回軸１４を介して、また他端部が別のピボット軸受１０を介して、上に設けられた懸架成形材４４に支承されている。
【００２６】
床ガイド５７は同時に、壁エレメントのほぼ中央に配置された第１の旋回軸である。この第１の旋回軸に対して同軸的に、扉成形材１１の上端部に旋回軸１９が配置されている。
【００２７】
本発明の実施態様では、第１の旋回軸１９，５７の隣に、レバーアーム１２，１３のための第２の旋回軸としての旋回軸１４，１５が位置している。これらの旋回軸１４，１５は、同様に互いに上下に同軸位置にある。
【００２８】
スライド式壁の実施例は、図２では左側の領域において壁１６で示されている。支持成形材８は、ステーション（このステーション内に、スライド式壁が開放されている時に各壁エレメント１，２を収納しておくことができる）で壁部に対向して終わっている。図面では、スライド式壁は閉鎖されているので、各壁エレメント１及び２はその使用位置において固定されている。壁エレメント２が配置されている領域内で上側つまり支持成形材８の領域内に各１つの駆動部５が配置されている。駆動部５５は定置であって、スライド式壁と一緒に移動することはない。図２には壁エレメント２の開放経路が概略的に示されている。
【００２９】
このような駆動装置５５が回転扉としての壁エレメント２とどのように協働するかが、図３に示されている。図３の側方に一部破断して示されているように、駆動部５５は、支持成形材８及びこの支持成形材内に収容されたキャリッジ１８と共に、結合部４を介して懸架成形材４４に結合されている。懸架成形材４４の下部には扉成形材１１が設けられており、この成形材１１に壁エレメント２のガラスエレメントが固定されている。壁エレメント２の回転可能性を実現するために、旋回軸１９は、懸架成形材４４内に位置しているスライドレール内で、振り子懸架部を備えた図示していないキャリッジに結合されている。
【００３０】
扉成形材１１の側方にスライドレール６０が配置されており、このスライドレール６０は溝６１を有している。溝６１内にピン５９が係合し、このピン５９はローラを備えていてもよい。ピン５９はロッドのフラットアーム５６の一端部に配置されていて、フラットアーム５６の端端部は、駆動部５５の被駆動軸に摩擦接続（摩擦による束縛）的及び形状接続（形状による束縛）的に結合されている。
【００３１】
図３に示した位置で駆動部５５が操作されると、被駆動軸５８が回転運動を行う。このことは同時に、フラットアーム５６がスライドレール６０との連結に基づいて回転扉２を旋回させるということを意味する。この場合、駆動部５５の制御は、マニュアル（手動）の信号若しくはセンサ信号を介して実現される。
【００３２】
同様に図３によれば、壁エレメント２がピン５９と共に走行すると、フラットアーム５６がスライドレール６０と自動的に連結若しくは連結解除されることが分かる。これによって、マニュアルの操作を必要とすることなしに、駆動部５５は使用準備状態で壁エレメント２に接続される。
【００３３】
図１に示されているように、スライド可能及び旋回可能な壁エレメント２は、上側の操作アーム１２と、レバーとして構成された下側の操作アーム１３とを有している。この場合、扉成形材１２に枢着された上側のレバーアーム１２は旋回軸１４を介してピボット支承（回転可能に支承）されている。さらに上側のレバーアーム１２はその他端部がピボット軸受１０に支承されている。それによって懸架成形材内で回転軸が形成され、この回転軸を中心にしてレバーアームが回転する。この場合、できるだけコンパクトな構造を得るために、上側レバーアーム１２は、懸架成形材４４内の詳しく図示していない切欠内に配置されている。
【００３４】
従って壁エレメント２は３つの旋回軸を有している。つまり懸架成形材４４の側のピボット軸受１０の領域内の旋回軸（この旋回軸を中心にして操作アーム１２が旋回せしめられる）と、壁エレメント２の本来の旋回軸つまり第１の旋回軸１９，５７と第２の旋回軸１４，１５とを有している。
【００３５】
同様にレバーアーム１３は、一方の自由端部で、後述されている連結ピン２６（連結部材２０に設けられている）に基づいて、回転扉１０と同軸的に支承されている。レバーアーム１３はその反対側の端部で、前記第２の旋回軸１５を介して壁エレメント２に結合されている。この場合、下側のレバーアーム１３は、下側の閉鎖成形材５の同様に図示していない切欠内に配置されている。
【００３６】
隣接し合う壁エレメント１及び２が互いにどのように結合されているかは、図４〜図７に示されている。図４では右側に、連結部材２０を備えたスライド可能な壁エレメント１が示されており、この場合、連結部材２０はスライド可能な壁エレメント１から突き出している。また連結部材２０はフラットな（平らな）構成部分として構成されている。壁エレメント１内で、連結部材２０は凹部２１内で摩擦接続式及び形状接続式に固定されている。連結部材２０の自由端部の領域内で、連結ピン２６は溶接継ぎ目３９を介して摩擦接続的及び形状接続的に連結部材に２０に結合されている。この場合、連結ピン２６は、一方ではその連結付加部４２が、他方では係止端部３７が連結部材２０から突き出している。
【００３７】
図４の左側には、旋回可能な壁エレメント２が示されている。詳しく図示していない切欠内に、レバーアーム１３が旋回可能に配置されている。レバーアーム１３内には接続部材２５が配置されており、この接続部材２５は一方側が支承されている。この場合、接続部材２５は有利にはばね鋼より製造されている。連結部材２０は、旋回可能な回転扉２に接近すると、図５に示されているように、レバーアーム１３内に侵入する。連結ピン２６が、レバーアーム１３の上側で、かつ壁エレメント２の端部領域内において下側に配置されている調整部材２８内に正しく嵌め込まれると、連結解除区分３２が形成される。図５には、連結付加部４２が、接続部材２５内の孔２７と協働する状態が示されている。それによって、接続部材２５が下降して、連結部材４２が孔２７内に侵入する。このことはつまり、隣接し合う壁エレメント１及び２が互いに結合されていて、同時に、壁エレメント２の上側の領域内で、ピボット軸受１０と同軸的な旋回軸が形成される、ということである。
【００３８】
調整部材２８は図９に斜視図で示されている。この場合、第２実施例では調整部材２８が一端部に、互いに逆向きに下降する錠止斜面２９を有している。これらの錠止斜面２９はそれぞれ調整部材２８の縁部に向かって下降している。錠止斜面２９が互いにぶつかり合う箇所には、錠止解除面３０が配置されている。錠止解除面３０は、接続部材２５内にねじ込まれている調整ねじ２４と協働する。調整ねじ２４の自由端部はレバーアーム１３を越えて突き出していて、壁エレメント１、２が互いに整列した時に、錠止解除面３０に当接する。この位置は図４及び図５にも示されている。壁エレメント２が少し旋回せしめられると、壁エレメント２の旋回方向に応じて調整ねじ２４の端部は２つの錠止傾斜面２９上を滑動し、それによって同時に接続部材２５が旋回せしめられる。この旋回運動は、壁エレメント１が壁エレメント２に相応に連結された後で駆動部５５が壁エレメント２を開放させるように働く瞬間に開始される。調整部材２８は孔３４を介して固定される。この孔３４内にねじ３３がねじ込まれることによって、調整部材２８を下側の閉鎖成形材５に整然と取り付けることができる。
【００３９】
調整部材２８は他方の端部で連結解除開口３１を有しており、この連結解除開口３１を連結ピン２６の係止端部３７が通過することができる。この通過動作を容易にするために、連結解除開口３１は侵入斜面３５を有しており、この侵入斜面３５は、調整部材２８の中央に向かって円錐形に先細りしている。所定の領域から、侵入斜面３５に続いて退出斜面３６が設けられており、この退出斜面３６は前記侵入斜面３５とは逆向きに円錐形に延びている。退出斜面３６は連結解除区分３２で終わっている。
【００４０】
調整部材２８及び接続部材２５が、連結部材２０及び連結ピン２６と協働することによって、連結するための装置及び同時に錠止部材が得られる。この錠止部材は、壁エレメント２が少し旋回しただけで既に、その位置で壁エレメント２を確保することができる。
【００４１】
図７には、壁エレメント１に対して壁エレメント２が旋回方向４６，４７で回転及び旋回せしめられる状態が示されている。ここでは、レバーアーム１３から、調整ねじ１４の詳しく図示していない先端部が貫通部４５としての長孔を貫通して突き出していることが示されている。また、連結ピン２６の通過動作を容易にするために、レバーアーム１３はその自由端部が接続部材２５の領域において円錐形侵入部４８を有している。
【００４２】
連結ピン２６の配置及び性質は図８に示されている。係止端部３７は連結部材２０内に嵌め込まれていて、連結部材２０に溶接継ぎ目３９によって摩擦接続（摩擦による束縛）及び形状接続（形状による束縛）的に結合されている。連結部材２０の上側には付加部３８が設けられている。この付加部３８に続いて、円錐台形４０、それに続く面４１及び別の円錐台形４０が設けられており、この場合、最後の円錐台形４０は、連結付加部４２に移行している。これらの円錐台形４０は、連結ピン２６をレバーアーム１３内及びひいては調整部材２８内により簡単に侵入させることができるようにするために、設けられている。
【００４３】
図１０に示した斜視図では、レバーアームが単独で示されている。この場合、レバーアームはその左側の端部領域で接続部材２５を有していて、その右側の端部領域で、レバー１３を付加的に係止させ、ひいては壁エレメント２のスライド時にレバーアームがその使用位置から遠ざからないようにする手段を有している。この場合、係止装置はエンドピース５０より成っており、このエンドピース５０はその外側領域で半円形５１を有している。この半円形５１はその中央領域で切り込み部５２を有している。この切り込み部５２と、アングル部材４９のねじ山付き孔５３内に挿入されたロックピン５４（図７）とが協働する。この場合、アングル部材４９は下側の閉鎖成形材５と摩擦接続及び形状接続的に固定されている。
【図面の簡単な説明】
【００４４】
【図１】本発明による回転扉を備えたスライド式壁システムの概略的な側面図である。
【図２】２つの自動式の回転扉を備えたスライド式壁の可能な実施例の平面図である。
【図３】上側の支持成形材及び下側のガイドレールの断面図、及び回転扉を備えた駆動装置の側面図である。
【図４】隣接し合う２つの壁部材の、連結前の部分断面図である。
【図５】図４に示した、隣接し合う２つの壁部材の、連結された状態の部分断面図である。
【図６】旋回された回転扉において２つの隣接し合う扉がロックされている状態を示す、図５に対応する部分断面図である。
【図７】部分旋回された回転扉における一部断面した平面図である。
【図８】一方のレバーアームに接続された連結ピンの側面図である。
【図９】調整部材の斜視図である。
【図１０】レバーの斜視図である。
【符号の説明】
【００４５】
１  スライド式の壁エレメント
２  スライド・旋回式の壁エレメント
３  固定成形材
４  結合部
５  下側の閉鎖成形材
７  ガイドレール
８  支持成形材
９  床ガイド（旋回軸）
１０  ピボット軸受
１１  扉成形材
１２  レバーアーム
１３  レバーアーム
１４  旋回軸
１５  旋回軸
１６  壁
１７  ステーション
１８  キャリッジ
１９  ピン（旋回軸）
２０  連結部材
２１  凹部
２４  調整ねじ
２５  接続部材
２６  連結ピン
２７  孔
２８  調整部材
２９  錠止斜面
３０  錠止解除面
３１  連結解除開口
３２  連結解除区分
３３  ねじ結合部
３４  孔
３５  侵入斜面
３６  退出斜面
３７  係止端部
３８  付加部
３９  溶接継ぎ目
４０  円錐台形
４１  面
４２  連結付加部
４４  懸架部
４５  貫通部
４６  旋回方向
４７  旋回方向
４８  円錐形侵入部
４９  アングル部材
５０  エンドピース
５１  半円形
５２  切り込み部
５３  ねじ山付き孔
５４  ロックピン
５５  駆動部
５６  フラットアーム
５７  下部ガイド（旋回軸）
５８  被駆動軸
５９  ピン（ローラ）
６０  スライドレール
６１  溝
【図１】
2006517626.tif 000003
【図２】
2006517626.tif 000004
【図３】
2006517626.tif 000005
【図４】
2006517626.tif 000006
【図５】
2006517626.tif 000007
【図６】
2006517626.tif 000008
【図７】
2006517626.tif 000009
【図８】
2006517626.tif 000010
【図９】
2006517626.tif 000011
【図１０】
2006517626.tif 000012
【国際調査報告】
2006517626.tif 000013
2006517626.tif 000014
2006517626.tif 000015
2006517626.tif 000016